(57)【要約】  あるメッセージの受信を阻止するためセルラメッセージを濾波するシステム及び方法を開示している。１特徴では、コンピュータ装置は受信者へ転送される入来するセルラ電話メッセージを検出する。装置は入来するセルラ電話メッセージのソース識別情報を決定することによりメッセージを濾波する。装置はこの情報を受取り可能な送信者リスト中のソース識別エントリと比較する。受取可能な送信者リストは受信者による先に入来及び送出された音声接触に対応するソース識別情報を含んでいる。入来するセルラ電話メッセージのソース識別情報が受取可能な送信者リスト中のソース識別エントリで発見されないならば、装置は受信者によるメッセージの受信を阻止するためにセルラ電話メッセージをメモリから削除する。【選択図】図１
2010517485.tif 000002
【特許請求の範囲】
【請求項１】
あるセルラ電話メッセージの転送を阻止するコンピュータ装置により実行される方法において、
この方法はセルラ電話メッセージの濾波を含んでおり、その濾波は、
受信者へ転送するための入来するセルラ電話メッセージを検出し、
入来するセルラ電話メッセージのソース識別情報を決定し、
入来するセルラ電話メッセージのソース識別情報を、受信者により先に入来または送出された音声による接触に対応するソース識別情報を含む受取り可能な送信者リスト中のソース識別情報に対して比較し、
受取可能な送信者リスト中のソース識別エントリを比較したときに入来するセルラ電話メッセージのソース識別情報が発見されないならば、受信者へのセルラ電話メッセージの転送を阻止するためにメモリからそのセルラ電話メッセージを削除することによって行われる方法。
【請求項２】
受取可能な送信者リストはセルラ電話機のサービスプロバイダにより維持される呼記録によって自動的に決定される請求項１記載の方法。
【請求項３】
受取可能な送信者リストは受信者による入来又は送出された音声接触の通知を受信したとき自動的に更新される請求項２記載の方法。
【請求項４】
受取可能な送信者リスト中のソース識別エントリは、予め定められた期間を超える受信者による入来又は送出された音声接触に対応しているソース識別情報を含んだ請求項１記載の方法。
【請求項５】
受取可能な送信者リスト中のソース識別エントリは、予め定められた期間内に接触のない受信者による入来又は送出された音声接触に対応している受取可能な送信者リストから除去される請求項１記載の方法。
【請求項６】
受取可能な送信者リストはさらに、受信者により手作業で入力され維持される付加的な受取可能なソース識別情報を含んでいる請求項１記載の方法。
【請求項７】
さらに、付加的な受取可能なソース識別情報を受取り可能な送信者リストへ付加する請求項６記載の方法。
【請求項８】
受取可能な送信者リストはさらに、セルラ電話メッセージを削除する受信者により手作業で入力され維持される付加的な不所望なソース識別情報を含んでいる請求項１記載の方法。
【請求項９】
さらに、受取り可能な送信者リストから付加的な不所望なソース識別情報を除去する請求項８記載の方法。
【請求項１０】
さらに、セルラ電話メッセージの削除についての通知を受信者へ提供する請求項１記載の方法。
【請求項１１】
さらに、セルラ電話メッセージの削除についてのセルラ電話メッセージの通知を送信者に提供する請求項１記載の方法。
【請求項１２】
さらに、入来するセルラ電話メッセージのソース識別情報が受取り可能な送信者リスト中のエントリに一致する場合にセルラ電話メッセージを転送する請求項１記載の方法。
【請求項１３】
セルラ電話メッセージの転送を阻止するデータ処理システムにおいて、
データ処理システムは、プロセッサ及びメモリを具備するデータ処理装置を具備し、
データ処理装置は入来するセルラ電話メッセージを検出し、入来するセルラ電話メッセージの電話番号を決定し、入来するセルラ電話メッセージの電話番号を、受信者との入来及び送出される音声接触の電話番号を含む受取り可能な送信者リスト中の受信者との入来及び送出される音声接触の電話番号を比較し、入来するセルラ電話メッセージの電話番号が受取可能な送信者リストで発見されなかったならば、入来するセルラ電話メッセージを拒否し、入来するセルラ電話メッセージの受信者への転送を阻止するために入来するセルラ電話メッセージをメモリから削除するように構成されているデータ処理システム。
【請求項１４】
さらにデータ処理装置と通信するデータベースを具備し、そのデータベースは受取可能な送信者のリストを記憶している請求項１３記載のデータ処理システム。
【請求項１５】
データ処理装置は無線ネットワーク内に位置されている請求項１３記載のデータ処理システム。
【請求項１６】
データ処理装置は中央化された位置に位置されている請求項１３記載のデータ処理システム。
【請求項１７】
プロセスにより実行可能なコンピュータプログラム命令を含んでいるコンピュータが読取り可能なデータ記憶媒体において、
コンピュータプログラム命令はプロセッサにより実行されるとき、
受信者に対して無線ネットワークによって入来および送出される音声通信のソース識別情報を監視し、
受信者への入来及び送出される音声通信のソース識別情報を受信者の受取可能な送信者リストへ付加し、
入来するセルラ電話メッセージを検出し、
入来するセルラ電話メッセージのソース識別情報を決定し、
入来するセルラ電話メッセージのソース識別情報を受取り可能な送信者リスト中のソース識別情報と比較して一致するか否かを決定し、
セルラ電話メッセージのソース識別情報が受取可能な送信者リスト中で一致されるならばそのセルラ電話メッセージを拒否し、
受信者へのセルラ電話メッセージの転送を阻止するためにメモリからセルラ電話メッセージを削除するステップを行うコンピュータが読取り可能なデータ記憶媒体。
【請求項１８】
さらに、受信者により手作業で入力され維持される付加的な受取可能なソース識別情報が受取り可能な送信者リストへ組み込まれている請求項１７記載のコンピュータが読取り可能なデータ記憶媒体。
【請求項１９】
さらに、受信者により手作業で入力され維持される付加的な不所望なソース識別情報が受取可能な送信者リストから除去される請求項１７記載のコンピュータが読取り可能なデータ記憶媒体。
【請求項２０】
さらに、入来するセルラ電話メッセージのソース識別情報が受取り可能な送信者リストと一致したならば、セルラ電話メッセージが転送される請求項１７記載のコンピュータが読取り可能なデータ記憶媒体。
【発明の詳細な説明】
【技術分野】
【０００１】
本発明はセルラ電話のメッセージを濾波するシステム及び方法に関する。
【背景技術】
【０００２】
セルラ電話機のユーザはセルラ電話ネットワークによって任意の送信者からメッセージを受信できる。セルラ電話メッセージングは人気が高まり続けている広く使用された通信形態である。セルラ電話メッセージングはメッセージ、データ、写真および／またはその他のタイプの情報を含む任意の異なる形態を含むことができる。本発明の目的に対しては、用語「メッセージ」はセルラ電話ネットワークを横切って通過されるメッセージ、データ、写真および／または他のタイプの情報を含むことを意図されている。セルラ電話メッセージの１つの形態であるショートメッセージサービス（ＳＭＳ）は特に無線ネットワークによるセルラ電話メッセージングの迅速な配備に貢献している。
【０００３】
セルラ電話メッセージは無線ネットワークによって可能な限り迅速にメッセージを目的地へ送信することによって実時間通信を模倣しようとする。セルラ電話メッセージの転送時間は、不所望なセルラ電話メッセージが限定された貴重なセルラ電話ネットワークリソースを占有する可能性があるので、不所望なセルラ電話メッセージにより悪影響を受ける可能性がある。
【０００４】
多くの他の形態の電子通信のように、セルラ電話メッセージングは無線ネットワークのあるユーザにより悪用される可能性がある。スパム又は他のタイプの未承諾通信の送信は特にセルラ電話メッセージングでは問題である。セルラ電話メッセージは未承諾である可能性があり、その内容は迷惑で不快であるか、合法のメッセージの受信を妨害する可能性がある。
【０００５】
さらに、ほとんどのセルラ電話メッセージングサービスは送信または受信されたセルラ電話メッセージ毎にユーザに対して使用毎の料金を請求する。したがって不所望なセルラ電話メッセージの受信者はユーザが要求しないメッセージの受信に対する費用を負担することになる。
【発明の概要】
【０００６】
それ故、本発明のある実施形態の目的は、要求しない不所望なセルラ電話メッセージ、データ、写真、その他の情報の受信を阻止するためにセルラ電話メッセージの濾波のように、ある状態で使用するのにこれらを最適にする有益な特性を有する方法および／またはシステムを提供することである。
【０００７】
実施形態はあるセルラ電話メッセージの転送（及びその後のプレゼンテーション）を阻止するコンピュータ装置により実行される方法を含むことができ、その方法はセルラ電話メッセージの濾波を含んでおり、その濾波は、受信者へ転送するための入来するセルラ電話メッセージを検出し、入来するセルラ電話メッセージのソース識別情報を決定し、入来するセルラ電話メッセージのソース識別情報を、受信者により先に入来または送出された音声による接触に対応するソース識別情報を有する受取り可能な送信者リストのソース識別情報に対して比較し、受取可能な送信者リストのソース識別エントリを比較したときに入来するセルラ電話メッセージのソース識別情報が発見されないならば、受信者へのセルラ電話メッセージの転送を阻止するためにメモリからセルラ電話メッセージを削除することによって行われる。
【０００８】
この要約はさらに詳細な説明で以下説明するように、簡単にされた形態で概念の選択を紹介するために与えられている。この要約は請求された主題の重要な特徴又は基本的特徴を特定することを意図するものではなく、また請求されている主題の技術的範囲を決定する補助として使用されることを意図するものでもない。さらに本発明の別の特徴、利点、実施形態は説明により、または以下の詳細な説明、図面、請求項を考察して明白であろう。さらに、本発明の前述の要約と以下の詳細な説明の両者は単なる例示であり、請求されている本発明の技術的範囲を限定するものではなく、さらに説明を行うことを目的としていることが理解されるべきである。
【図面の簡単な説明】
【０００９】
【図１】不所望なセルラ電話メッセージの受信を阻止するためセルラ電話メッセージを濾波するシステムを例示的に示す概略図である。
【図２】セルラ電話メッセージの例示的な検出及び削除プロセスのフローチャートである。
【図３】データベースと、セルラ電話メッセージを受信し処理するための有形コンピュータ記憶装置の例示的な概略図である。
【発明を実施するための形態】
【００１０】
本発明をさらに理解するために与えられ、この明細書に組み込まれてその一部を構成する添付図面は本発明を示し、詳細な説明と共に本発明の原理を説明する役目を行う。  
システム及び方法は不要または不所望なセルラ電話メッセージを阻止／ブロックし、または代わりに所望の送信者からのみセルラ電話メッセージを受取るように記載されている。さらにシステム及び方法は恐らく任意の良識のあるユーザの介入を必要とせずに新しい送信者を「受取可能な送信者」リストに加えるための直接的なプロセスも提供できる。
【００１１】
セルラ電話装置は主として音声通信に使用される。音声通信は通常、相互に親密なパーティ間で開始され行われる。それ故セルラ電話機は主としてセルラ電話機のユーザが知っており信頼のある限定された数のパーティと通信するために使用されることができる。セルラ電話機のユーザと、セルラ電話機のユーザが周期的に通信するこれらの限定された数のパーティとの間の頻繁または少なくとも周期的な接触が存在する可能性がある。
【００１２】
前述したように、また音声通信能力に加えて、セルラ電話装置はセルラ電話ネットワークを横切ってセルラ電話メッセージを受信及び送信できる。頻繁又は少なくとも周期的なベースで限定された数のパーティとの音声通信を有するセルラ電話のユーザに加えて、セルラ電話のユーザは周期的にセルラ電話メッセージをこれらの同じ限定された数のパーティへ送信することができる。多くのセルラ電話メッセージが音声接触により先行されることができる。
【００１３】
実施形態はセルラ電話機のユーザと、セルラ電話メッセージを送信するパーティとの間の先の音声接触に基づいてセルラ電話メッセージを濾波することができる。代わりに、濾波はセルラ電話のユーザと、セルラ電話メッセージを送信するパーティとの間の先のセルラ電話メッセージの接触を含むこともできる。セルラ電話メッセージは以前にセルラ電話のユーザとの音声接触を有した任意のパーティを含む「受取可能な送信者」を通して濾波されることができる。
【００１４】
「受取可能な送信者」のリストはセル電話機のプロバイダのスイッチ又は他のデータ処理位置の呼記録を通して自動的にコンパイルされることができる。１実施形態では、セルラ電話装置の各個人のユーザは個人化された受取可能な送信者リストを有する。受取可能な送信者リストは個人のユーザにより所望されるようにオンとオフに切り換えられることができるセルラ電話装置のユーザ選択特性であることができる。自動的にコンパイルされた受取可能な送信者リストは例えば（１）セルラ電話機のユーザが呼を送出する電話番号、（２）セルラ電話機のユーザが受信した呼の電話番号の１以上を含むことができる。受取可能な送信者リストが任意の時間に及び任意のスケジュールで生成されおよび／または更新される。１実施形態では、受取可能な送信者リストが実時間で生成され更新される。
【００１５】
電話番号を受取り可能な送信者リストへ自動的に付加するため、セルラ電話機のユーザと他のパーティとの間の先の音声接触は適切な期間である必要がある。例えば２分未満の音声接触に関連される電話番号は受取可能な送信者リストの生成及び更新のときに無視されることができる。代わりの期間が可能であり、予め定められるか、ユーザの選択であってもよい。期間の要件は「悪い番号」、即ちユーザのセルラ電話装置を偶然にダイヤルしたパーティと、ユーザがセルラ電話装置に出たが今後はセルラ電話メッセージを受信したくない先の他のパーティが受取り可能な送信者リストに付加されないようにする。
【００１６】
１実施形態では、音声接触電話機呼を行うかまたは受信する簡単な行為が新しい受取り可能な番号が受取り可能な送信者リストに付加されることを生じる。
【００１７】
受取可能な送信者リスト上の電話番号との接触が現在予め定められた時間期間行われていないならば、受取可能な送信者リストの自動的な刈り込みが行われる可能性がある。例えば、セルラ電話機のユーザが例えば６乃至１２ヶ月内に受取可能な送信者リスト上の特定のパーティへ呼を行っていないかそこから呼を受信していないならば、受取可能な送信者リスト上のその特定のパーティは受取り可能な送信者リストから除去されることができる。代わりの期間が可能であり、予め定められるかユーザの選択であってもよい。期間の要件はユーザと頻繁に接触しない任意の特定のパーティまたはユーザが特定の目的で最小数の回数のみ接触する特定のパーティからのメッセージを除去することである。
【００１８】
任意の自動的に更新された受取り可能な送信者リストは「ホワイトリスト」および／または「ブラックリスト」により拡大されることができる。これらのリストによってユーザはそれらの個々の受取り可能な送信者リストの構成を手作業で変更できる。ホワイトリストおよび／またはブラックリストは各ユーザにより手作業で作成され維持される。ホワイトリストは音声接触により受取り可能な送信者リストにはない受取可能な送信者リストに対してパーティを付加できる。ホワイトリストに含まれることのできる可能なパーティは例えば音声呼を行わない情報サービス、またはユーザが信頼しているが周期的に通信しないパーティを含むことができる。ブラックリストは受取り可能な送信者リスト上に含まれることができるがユーザがセルラ電話メッセージを受信したくないパーティを列挙できる。ブラックリストに含まれることが可能なパーティは例えば過去の男友達のように好ましくなくなったが以前に望ましかった接触を含むことができる。
【００１９】
ホワイトリストおよび／またはブラックリストは受取り可能な送信者のリストとは別に記憶されることができる。別に記憶されると、ホワイトリストおよび／またはブラックリストは受取り可能な送信者リストがシステム及び方法によりアクセスされる前および／または後に呼び出されることができる。例えばセルラ電話メッセージの検出時に、セルラ電話メッセージからの識別情報は受取可能な送信者リストと比較されることができる。識別情報はセルラ電話メッセージがセルラ電話機のユーザに転送されるべきであるか否かを最終決定するために既存のホワイトリストおよび／またはブラックリストと比較されることができる。
【００２０】
代わりに、ホワイトリストおよび／またはブラックリストからの情報は受取可能な送信者リスト中に組み込まれることができる。しかしながら、ホワイトリストおよび／またはブラックリストはセルラ電話機のユーザによる記憶及びアクセスの目的で依然として別にされることができる。例えばブラックリストは受取り可能な送信者リストから任意の不所望な接触を除去でき、それによってシステム及び方法はセルラ電話メッセージからの識別情報と受取可能な送信者リスト中の電話番号に一致が存在するか否かを決定するため受取り可能な送信者リストをアクセスしさえすればよい。ホワイトリストは受取り可能な送信者リストへ電話番号を直接付加できる。
【００２１】
１実施形態では、個人の電話番号に加えて電話番号のグループがブロックされるか許可されることができる。例えばホワイトリストとブラックリストは受取り可能な送信者リストに付加されるかそこから除去される電話番号のグルーピングを含むことができる。グルーピングはある地域コードおよび／または交換機を有する全ての電話番号を含むことができる。例えばユーザは３０１の地域コードから発生する番号からの任意のセルラ電話メッセージの受信を阻止するためにブラックリストへ全ての３０１の地域コード番号を付加することができる。代わりに、例えばユーザは先の音声接触にかかわりなく３０１の地域コードから発生する番号からの任意のセルラ電話メッセージの受信を可能にするためにホワイトリストへ全ての３０１の地域コード番号を付加することができる。
【００２２】
セルラ電話メッセージを送信するパーティのアイデンティティは「偽造」が困難である可能性があるので、実施形態は成功できる。アイデンティティ情報は自動番号識別（“ＡＮＩ”）記録または、セルラ電話機の呼設定期間中に交換される他の識別ソースで通過されることができる。識別情報はメッセージヘッダ情報でまたはメッセージ本体内で送信されることができる。ソース識別情報の送信は不所望および／または匿名のパーティがセルラ電話機のユーザと接触することを阻止できる。セルラ電話メッセージを送信するパーティのアイデンティティが知られているので、ソース識別情報は受取可能な送信者リスト、ホワイトリストおよび／またはブラックリストに対して一致されることができる。
【００２３】
図１はセルラ電話メッセージを濾波するための例示的なシステムを示している。この濾波は目的とする受取人によるあるメッセージ（例えば不要又は不所望なセルラ電話メッセージ）の受信を阻止する。この構造では、目的とする受取人はセルラ電話装置の個人のユーザであるか、セルラ電話メッセージを受取るための自動化された装置又は他のシステムであってもよい。セルラ電話機のプロバイダのスイッチおよび／または他のハードウェアはセルラ電話メッセージを濾波するための方法を行うようにプログラムされることができる。図１のシステムは例えば無線スイッチ、基地局、ホーム位置レジスタ（“ＨＬＲ”）、ビジタ位置レジスタ（“ＶＬＲ”）等の無線ネットワークの全ての既知のコンポーネント（図示せず）を含む無線ネットワーク11を含んでいる。
【００２４】
図１に示されているように、無線ネットワーク11は種々のメッセージサービスセンタ（“ＭＳＣ”）13を含むことができ、これは共に無線ネットワーク11の一部を構成する。ＭＳＣ13はエンドユーザ、例えばセルラ電話メッセージケパブル移動体電話機15へ提示するためセルラ電話メッセージケパブルエンドユニット装置間でセルラ電話メッセージを受信、経路設定、転送する既知の装置である。図１では、セルラ電話メッセージケパブル移動体装置15は無線ネットワーク11と通信でき、タワーまたはその他の送信装置17を通して正規の方法で無線ネットワーク11を介してセルラ電話メッセージを受信できる。
【００２５】
図１はさらにセルラ電話機15に関連される電話番号のような識別情報を含むことができるデータベース19を含んでいる。無線ネットワーク11の種々のＭＳＣはセルラ電話メッセージを含むパケットデータユニット（ＰＤＵ）を傍受するようにプログラムされることができる。ＭＳＣ13は予め定められた電話番号の存在についてＰＤＵを検査できる。予め定められた電話番号は各個人のセルラ電話機のユーザについての受取可能な送信者リスト上のデータベース19に記憶されることができる。受取可能な送信者リストはデータベース19と通信する管理端末21を使用して、または他の自動化または手作業の手順を通してシステム管理者により維持され周期的に更新されることができる。ＭＳＣ13は受取可能な送信者リストにはないソースから任意のＰＤＵを削除することができ、不所望なセルラ電話メッセージの転送および／または受信を効率的に阻止する。
【００２６】
１構成では、最初にセルラ電話メッセージを受信するＭＳＣは検査及び削除プロセスを行う。したがって所望なセルラ電話メッセージがさらに無線ネットワーク11に伝播して付加的なネットワークリソースを消費する前に、これらは識別され削除されることができる。代わりに、中央プロセッサが不所望なセルラ電話メッセージを検査し削除することができる。
【００２７】
検査及び削除プロセスの例示的な実施形態は図２のフローチャートに示されている。図２に示されている方法は例えば図１に示されている無線ネットワーク11のＭＳＣ13中に構成されることができる。その方法はＭＳＣ13が図２に示されている動作を実行するように特別にプログラムされることを必要とする可能性がある。必要とされるプログラミングは通常の技術を使用してＭＳＣ13をプログラムする当業者によって行われることができる。代わりに図２に示されている処理は例えば予めプログラムされたネットワークサーバのような１以上の付加的な予めプログラムされたマイクロプロセッサベースの装置により実行されることができる。ＰＤＵは適切に検査および削除を行うため最初に１以上の付加的なマイクロプロセッサベースの装置を通過されることができる。
【００２８】
図２の方法でデータベースは図１のデータベース19を指しているが、当業者は独立した単一の物理的エンティティとして表されているがデータベース19の機能が多数のデータベース間で拡散されることができ、或いは種々のＭＳＣ13の任意のものまたは無線ネットワーク11の種々の他の装置およびコンポーネントと組み合わせられることを認識するであろう。
【００２９】
図２のプロセスでは、メッセージは31で検出される。メッセージのソースの識別情報はその後33で決定される。識別情報はヘッダ又は送信者を識別する他のソースにより決定されることができる。
【００３０】
代わりに又は付加的に、システムは任意のさらに別の識別情報を決定するためにセルラ電話メッセージのテキストを走査してもよい。予め定められたパターンを有する文字列に対してテキストファイルを検索するための任意の種々の既知のアルゴリズムがセルラ電話メッセージのテキストの電話番号を発見するために使用されることができる。１例として、７または１０の連続番号を検索するアルゴリズムまたは１以上の間隔文字又はダッシュ“＿”により分離されている番号のグループの検索が使用されることができる。
【００３１】
さらに、セルラ電話メッセージはそのセルラ電話メッセージが受信者にとって所望されるものであることを示す個人情報の存在を決定するために走査されることができる。例えばセルラ電話メッセージは走査され、セルラ電話メッセージのテキスト内にユーザの誕生日が含まれているかが決定されることができる。個人情報は送信者が受信者との個人的関係を有することを示すことができる。関連する可能性がある他の個人情報はユーザのプロフィールから決定されるかおよび／またはユーザにより供給されることができる。個人情報は配偶者、子供、ペット、趣味、住所等についての情報を含むことができる。このセルラ電話メッセージは送信者の識別情報が受取り可能な送信者リストになくてもユーザに転送されることができる。送信者の識別情報はその後、受取り可能な送信者リストに付加されることができる。しかしながら送信者の識別情報がブラックリストにあるならば、セルラ電話メッセージはそのセルラ電話メッセージに含まれる個人情報と共にさえも転送されることができない。それ故、セルラ電話メッセージは電話番号および／またはセルラ電話メッセージのテキストからのその他の情報により予備選択されることができる。
【００３２】
システムはその後、セルラ電話メッセージ中で発見された識別情報の各例をデータベース19からの受取可能な送信者リストに対して35で比較する。システムはその後、識別情報と受取可能な送信者リスト37との間に一致が発見されるか否かを決定する。一致が発見されるならば、セルラ電話メッセージは39で転送するように進行されることを可能にされる。一致が発見されないならば、セルラ電話メッセージは41で削除される。セルラ電話メッセージが削除されるならば、システムはメッセージが転送されていないことを送信者に通知するエラー又はそれに等価のメッセージをセルラ電話メッセージの送信者へ送信することができる。さらにシステムはまたセルラ電話メッセージを目的とする受信者へ送信する試みを行ったことを目的受信者へ通知することもできる。システムはデータベース19又は別の位置における出来事を記録することもできる。
【００３３】
システムはその後、別の入来するセルラ電話メッセージを検出するのを待機し、図２のステップを反復する。１構成では、多数の入来するセルラ電話メッセージは同時に処理される。
【００３４】
図３はデータベース51と、セルラ電話メッセージ55を受信して処理するための有形のコンピュータ記憶装置53を示している。データベース51は１以上の受取可能な送信者リスト57を記憶することができる。受取可能な送信者リスト57はセルラ電話装置の個々のユーザに対応できる。各受取可能な送信者リスト57は受信者61へ入来またはそこから送出される音声接触に対応するソース識別情報59を含むことができる。
【００３５】
データベース51は有形のコンピュータ記憶装置53と通信できる。このコンピュータ記憶装置53はデータプロセッサ63および／またはコンピュータが読取り可能な媒体65を含むかそれと通信することができる。コンピュータが読取り可能な媒体65はここで説明した方法を動作するためのデータ及び命令を記憶している。
【００３６】
メッセージ55はコンピュータ記憶装置53で受信されることができ、また処理のためにコンピュータ記憶装置53へ転送されることができる。メッセージ55はこのメッセージ55のソース識別情報67およびメッセージ55の目的地に関する受信者情報69を含むことができる。受信者情報69は受信者情報69に対応する受取可能な送信者リスト57を探索するために使用されることができる。メッセージ55のソース識別情報67は受取可能な送信者リスト57のソース識別情報59と比較されることができる。メッセージの決定71が行われる。メッセージの決定71はメッセージ55のソース識別情報67が受取り可能な送信者リスト57上で発見されるか否かを評価することにより行われる。メッセージ55のソース識別情報67が受取り可能な送信者リスト57に存在しないならば、メッセージ55は73でメモリ75から削除される。メモリはコンピュータ記憶装置53内に位置されることができるが遠隔に位置されてもよい。メモリ75はプロセッサ63と通信できる。１構成では、例えばコンピュータ読取り可能な媒体65はメモリ75を具備している。メッセージのソース識別情報67が受取り可能な送信者リスト57に存在するならば、メッセージ55は77で受信者61へ転送されることができる。
【００３７】
プロセッサ63はメッセージ55の転送および／または削除をメモリ75又は別のメモリ装置に記録することができる。記録は後にアクセス又は処理されることができる。メッセージ55の処理の結果はシステム管理者、受信者、又は情報の他のエンドユーザへ出力および／または表示されることができる。
【００３８】
無線通信ネットワーク上において、あるセルラ電話メッセージの転送を阻止するようにセルラ電話メッセージを濾波するための前述の例示的な実施形態は単なる例示の目的で示されている。本発明は多くの異なる形態の実施形態により満足されるが、本発明の説明は例示として考えられ、説明したシステム及び方法をここで示され説明された特別な実施形態に限定する意図はないことを理解すべきである。多数の変形は本発明の説明の技術的範囲から逸脱せずに当業者により行われることができる。さらに１実施形態によって説明された特徴は明白に前述されていなくても他の実施形態と共に使用されることができる。本発明の技術的範囲は特許請求の範囲及びそれらの均等物により判断される。要約およびタイトルは請求項の技術的範囲の限定として解釈されてはならず、適切な公認者および一般人が説明したシステム及び方法の一般的特性を迅速に決定することを可能にすることがそれらの目的である。以下の請求の範囲では、用語「手段」が使用されていなくても、ここで述べられている特性又は素子は35 U.S.C.112, 6にしたがった手段及び機能の限定として解釈されるべきである。
【図１】
2010517485.tif 000003
【図２】
2010517485.tif 000004
【図３】
2010517485.tif 000005
【国際調査報告】
2010517485.tif 000006